(57)【要約】【課題】床面と接触する部材を、より確実に床面に接触、および、床面から離すことができ、かつ、当該圧接される部材のストロークを比較的自由に設定することができる什器用ストッパーを提供すること。【解決手段】スライド部材２０が所定の後退位置にある状態から、操作腕部４１を紙面手前方向に回動させると、駆動腕部の先端部４２ｔによってスライド部材２０が前方へ摺動させられると共に、連結部材５０に設けられた当接部５２が突出部１７の表面に沿って前方へ移動していく。これにより、連結部材５０が、徐々に立ち上がっていくのに伴って、接触部材６０が床面に接近していき、スライド部材２０が所定の前進位置に到達すると、連結部材５０が略直立状態となって、接触部材６０が床面に圧接される。【選択図】図４
2010268903.tif 000002
【特許請求の範囲】
【請求項１】
床面を移動可能な什器の底面に取り付けられ、前記床面との摩擦によって前記什器の移動を阻止する什器用ストッパーであって、
裏面が前記什器への取付面となっているベース部材と、
前記ベース部材の表面に突設され、所定の傾斜面を形成した突出部と、
前記ベース部材の表面側に取り付けられ、前後方向に摺動可能なスライド部材と、
一端側が前記ベース部材に回動自在に支持され、自由な他端側が前記床面に対して接離可能となっている回動部材と、
前記回動部材の他端側に設けられ、前記床面と接触し摩擦力を生じさせる接触部材と、
一端側が前記スライド部材に回動自在に連結されるとともに、他端側が前記回動部材の他端側に回動自在に連結された連結部材と、
前記連結部材の中央に設けられ、前記スライド部材の摺動に伴って前記突出部の傾斜面上を移動する当接部と、
外部からの操作に応じて、前記スライド部材を所定の前進位置と後退位置との間で摺動させる摺動駆動部材と、を有し、
前記スライド部材の摺動に伴って、前記当接部が前記突出部の傾斜面上を移動するとともに、前記当接部の移動に伴って、前記連結部材が傾倒または屹立した状態となり、これにより、前記回動部材の他端側が前記床面に対して接近または離間し、前記接触部材の摩擦力を生じさせ、または摩擦力を解除させる什器用ストッパー。
【請求項２】
前記突出部の傾斜面が、前記スライド部材が前記後退位置にあるときの前記当接部の位置に対応する第１傾斜面と、後退位置と前進位置との中間位置に対応する第２傾斜面と、前記スライド部材が前記前進位置にあるときの前記当接部の位置に対応する第３傾斜面とを含み、
前記第１傾斜面を、前記ベース部材の表面から前記突出部の頂部に向かう上り傾斜とし、
前記第２傾斜面を、前記第１傾斜面から前記突出部の頂部に向かう、前記第１傾斜面よりも緩やかな上り傾斜とし、
前記第３傾斜面を、前記第２傾斜面から前記ベース部材の表面に向かう下り傾斜とした請求項１に記載の什器用ストッパー。
【請求項３】
前記接触部材が、吸盤状に傾斜した弾性部材からなる周壁部を有し、前記周壁部の水平方向の断面形状を、四角形の両端部に、これら両端部の各幅より直径の大きい２つの円形を各々連成した略亜鈴形とした請求項１または２に記載の什器用ストッパー。
【請求項４】
前記摺動駆動部材を、外部から操作される操作腕部と、前記操作腕部の動きをスライド部材に伝達する駆動腕部とを、平面視略Ｌ字形に連成したレバーとし、
前記摺動駆動部材の操作腕部と駆動腕部との接合部を、前記ベース部材の表面側に回動自在に軸着するとともに、前記駆動腕部の先端を、前記スライド部材の表面に穿設した左右方向に延びる長穴に遊挿した構成とし、
前記操作腕部を操作したときの回動が、前記駆動腕部を介して前記スライド部材に伝達され、前記スライド部材を前後方向に摺動させる請求項１から３のうちいずれか１項に記載の什器用ストッパー。
【請求項５】
前記摺動駆動部材を、前記スライド部材の摺動方向に延びる略長尺棒状とし、一端側を前記スライド部材に連結するとともに、他端側に操作部を設け、
前記摺動駆動部材の前後方向の動きによって、前記スライド部材を前後方向に摺動させる請求項１から３のうちいずれか１項に記載の什器用ストッパー。
【請求項６】
前記摺動駆動部材を、リンク機構を介して前記スライド部材に連結されたペダルとし、
該ペダルを上下方向に操作することにより、前記スライド部材を前後方向に摺動させる請求項１から３のうちいずれか１項に記載の什器用ストッパー。
【発明の詳細な説明】
【技術分野】
【０００１】
床面を移動可能な什器の底面に取り付け、床面との摩擦によって当該什器が容易に移動しないように停留させる什器用ストッパーに関する。
【背景技術】
【０００２】
従来、オフィスなどで使用されるキャビネットや、ワゴンなどの什器の中には、その移動を容易にするためのキャスターが底面に設けられているものがある。また、このようなキャスターが取り付けられた什器には、その使用中に什器が動いてしまわないようにするためのストッパーが設けられているものもある。この種のストッパーとして、例えば、特許文献１には、外部からの操作に応じて、弾性部材からなる吸盤状の圧接部を床面に圧接させることで什器の移動を規制し、また、床面との圧接を解除することで、什器の移動を可能とさせるものが開示されている。より具体的に、当該ストッパーは、主に、什器の底部に取り付けられる取付ベースと、当該取付ベースに回動自在に設けられ、上述した圧接部が設けられたストッパーパーツと、外部から操作されたレバー体の動きに応じて当該ストッパーパーツを、前記圧接部が床面に圧接される位置、および前記圧接部が床面に接しないリフト位置の間で回動させるスライドパーツとによって構成されている。
【０００３】
前記ストッパーパーツは、ねじりコイルばねによって、常時、前記リフト位置に付勢されている状態にあり、この状態で、レバー体の動きに応じてスライドパーツが一方向へスライドすると、この動きに伴って、スライドパーツに設けられたローラーが、ストッパーパーツの背面（圧接部が設けられている面とは逆の面）に形成された隆起部の傾斜面を上る方向へ転動しつつ水平移動する。これにより、ローラーによって、ねじりコイルばねの付勢に抗してストッパーパーツが回動して先端部分が床面に向かって押し出され、圧接部が床面へ接近する。そして、前記ローラーが隆起部の頂上に到達したときに、前記ストッパーパーツが最も床面側に接近する回動位置（以下、圧接位置という）となり、圧接部が床面に圧接されることになる。また、圧接部の床面への圧接を解除するには、外部からレバー体を操作して、元の位置までスライドパーツをスライドさせる。これにより、前記ローラーは、隆起部の頂上から傾斜面へと、先ほどとは逆方向に水平移動し、隆起部の傾斜面を下る方向に水平移動するにつれて、ストッパーパーツがねじりコイルばねの付勢によって、上述したリフト位置へと回動し、圧接部の床面への圧接が解除される。
【先行技術文献】
【特許文献】
【０００４】
【特許文献１】特開２００８−１８８３６１号公報
【発明の概要】
【発明が解決しようとする課題】
【０００５】
ところが、上述した特許文献１のストッパーでは、ストッパーパーツのリフト位置への復帰が、ねじりコイルばねの付勢に依存している。このため、ねじりコイルばねの劣化やへたりなどによって付勢力が低下し、また、ねじりコイルばねが破損した場合は、ストッパーパーツをリフト位置へ復帰させることができなくなってしまう。この場合、什器の移動を阻止するまでには至らないまでも、圧接部が床面と接触し続けることとなるため、什器のスムーズな移動の妨げとなる恐れがある。
【０００６】
また、リフト位置における圧接部と、圧接位置における圧接部との、床面方向における位置の差（以下、ストロークという）が、隆起部の高さで決まってしまうため、ストロークを大きくするには、隆起部を高くする必要がある。この場合、高くなった隆起部が取付ベースに当接してしまい、リフト位置における圧接部の位置と、床面との間に、十分な間隔を開けることができず、結果として十分なストロークを得るのが困難であった。
【０００７】
さらに、隆起部の傾斜面が、なだらかで一定の角度になっているため、圧接部をリフト位置から圧接位置まで移動させるのに、レバー体を回動させなくてはならない角度が広く（すなわち、レバー体の操作量が多く）なり、必ずしも操作性が良いとはいえなかった。一方、レバー体の操作量を少なくするために、ローラーの転動距離を短く（すなわち、隆起部の傾斜角度を急峻に）すると、特に、圧接部が床面に接触し始めてから圧接位置に至るまでの間に、レバー体を操作するときの負荷が大きくなってしまうことになる。
【０００８】
本発明は、上述の点に鑑みてなされたものであり、その目的とするところは、床面と接触する部材を、より確実に床面へ圧接、および、床面から離間させることができ、かつ、当該床面と接触する部材のストロークを比較的自由に設定可能にするとともに、操作性をより向上させることができる什器用ストッパーを提供することにある。
【課題を解決するための手段】
【０００９】
上記の目的を達成するために、本発明の什器用ストッパーは、床面を移動可能な什器の底面に取り付けられ、前記床面との摩擦によって前記什器の移動を阻止する什器用ストッパーであって、裏面が前記什器への取付面となっているベース部材と、前記ベース部材の表面に突設され、所定の傾斜面を形成した突出部と、前記ベース部材の表面側に取り付けられ、前後方向に摺動可能なスライド部材と、一端側が前記ベース部材に回動自在に支持され、自由な他端側が前記床面に対して接離可能となっている回動部材と、前記回動部材の他端側に設けられ、前記床面と接触し摩擦力を生じさせる接触部材と、一端側が前記スライド部材に回動自在に連結されるとともに、他端側が前記回動部材の他端側に回動自在に連結された連結部材と、前記連結部材の中央に設けられ、前記スライド部材の摺動に伴って前記突出部の傾斜面上を移動する当接部と、外部からの操作に応じて、前記スライド部材を所定の前進位置と後退位置との間で摺動させる摺動駆動部材と、を有し、前記スライド部材の摺動に伴って、前記当接部が前記突出部の傾斜面上を移動するとともに、前記当接部の移動に伴って、前記連結部材が傾倒または屹立した状態となり、これにより、前記回動部材の他端側が前記床面に対して接近または離間し、前記接触部材の摩擦力を生じさせ、または摩擦力を解除させる構成としてある。
【００１０】
本発明に係る什器用ストッパーでは、摺動駆動部材を操作して、スライド部材を後退位置から前進位置へ摺動させると、連結部材に設けられた当接部が、前進位置に向かって突設部の傾斜面上を移動する。これにより連結部材が屹立し、当該連結部材の他端側に連結されている回動部材の他端側が床面に接近する方向に回動させられる。そして、スライド部材が前進位置に到達すると、回動部材に設けられた接触部材が床面に接触し、これにより生じる摩擦力によって什器の移動が阻止される。
【００１１】
また、摺動駆動部材を操作することによって、スライド部材を前進位置から後退位置へ摺動させると、連結部材の一端側が後退位置の方向へ引き寄せられ、当接部が後退位置に向かって突設部の傾斜面上を移動する。これにより連結部材が傾倒し、回動部材の他端側が床面から離れる方向に回動させられ、接触部材の床面に対する摩擦力が解除される。そして、スライド部材が後退位置に到達すると、回動部材の他端側が床面から離れた状態に維持される。
【００１２】
本発明に係る什器用ストッパーによれば、接触部材を床面から離間させるためのコイルばねを省略することができ、摺動駆動部材の操作に応じたスライド部材の摺動のみによって、接触部材の床面への接近、および、床面に対する離間が可能となる。また、連結部材の長さを適宜設定することによって、床面方向における接触部材のストロークを所望の寸法に設定することが容易となる。また、当接部が突出部の表面上を移動して、連結部材を屹立させることで接触部材を床面に圧接するため、スライド部材の移動量を少なくすることができ、結果として摺動駆動部材の操作量を少なくすることができる。
【００１３】
好ましくは、上記の什器用ストッパーにおいて、前記突出部の傾斜面が、前記スライド部材が前記後退位置にあるときの前記当接部の位置に対応する第１傾斜面と、後退位置と前進位置との中間位置に対応する第２傾斜面と、前記スライド部材が前記前進位置にあるときの前記当接部の位置に対応する第３の傾斜面とを含み、前記第１傾斜面を、前記ベース部材の表面から前記突出部の頂部に向かう上り傾斜とし、前記第２傾斜面を、前記第１傾斜面から前記突出部の頂部に向かう、前記第１傾斜面よりも緩やかな上り傾斜とし、前記第３傾斜面を、前記第２傾斜面から前記ベース部材の表面に向かう下り傾斜とした構成としてもよい。
【００１４】
上記構成によれば、摺動駆動部材を操作することによって、スライド部材を後退位置から前進位置へ摺動させたときに、当接部は、まず、突設部の第１傾斜面上を移動し、後退位置と前進位置との中間位置で、第１傾斜面よりも緩やかになっている第２傾斜面に達する。そして、さらに当該第２傾斜面上を移動した後、スライド部材が前進位置に達したときには、前記当接部は突設部の頂部を越えて、ベース部材の表面に向かう下り傾斜となっている第３傾斜面上に到達する。
【００１５】
ここで、スライド部材の中間位置において、当接部は、第１の傾斜面よりもなだらかな第２傾斜面へと移行するため、例えば、接触部材が床面に接し始めることにより、摺動駆動部材の操作に抵抗が生じ始めたとしても、ユーザに与える負荷を軽減させることができる。また、スライド部材が前進位置に到達したときには、当接部が、突設部の頂部を越えて、下り傾斜になっている第３傾斜面に達しているため、例えば、什器が何らかの影響で振動したとしても、当接部が第２傾斜面へ戻ってしまい、その勢いで第１傾斜面へ移動して、勝手に接触部材が床面から離間してしまう可能性を低くすることができる。
【００１６】
好ましくは、上記いずれかの什器用ストッパーにおいて、前記接触部材が、吸盤状に傾斜した弾性部材からなる周壁部を有し、前記周壁部の水平方向の断面形状を、四角形の両端部に、これら両端部の各幅より直径の大きい２つの円形を各々連成した略亜鈴形となっている構成としてもよい。
【００１７】
上記構成によれば、接触部材の略亜鈴形の周壁部における、直線箇所と円弧箇所との接合箇所にエッジが形成される。これより、接触部材を床面に圧接させているときに、什器を移動させるべく外力が加えられたとしても、接触部材がよれにくくなるため、床面との摩擦力を維持し易くなり、什器の移動を阻止した状態を保ちやすくすることができる。
【００１８】
好ましくは、上記いずれかの什器用ストッパーにおいて、前記摺動駆動部材を、外部から操作される操作腕部と、前記操作腕部の動きをスライド部材に伝達する駆動腕部とを、平面視略Ｌ字形に連成したレバーとし、前記摺動駆動部材の操作腕部と駆動腕部との接合部を、前記ベース部材の表面側に回動自在に軸着するとともに、前記駆動腕部の先端を、前記スライド部材の表面に穿設した左右方向に延びる長穴に遊挿した構成とし、前記操作腕部を操作したときの回動が、前記駆動腕部を介して前記スライド部材に伝達され、前記スライド部材を前後方向に摺動させる構成としてもよい。
【００１９】
上記構成によれば、操作腕部を操作してレバーを回動させると、これに伴って駆動腕部が回動し、スライド部材が長穴を介して前進位置と後退位置との間を摺動する。ここで、摺動駆動部材が略Ｌ字形のレバーになっており、かつ、操作腕部と駆動腕部の接合部をベース部材の表面側に軸着しているので、梃子の原理によって、少ない力で摺動駆動部を摺動させることができる。
【００２０】
また、上記の略Ｌ字形以外の摺動駆動部材を含む什器用ストッパーとして、前記摺動駆動部材を、前記スライド部材の摺動方向に延びる略長尺棒状とし、一端側を前記スライド部材に連結するとともに、他端側に操作部を設け、前記摺動駆動部材の前後方向の動きによって、前記スライド部材を前後方向に摺動させる構成としてもよい。
【００２１】
上記構成によれば、長尺棒状の部材を前後に動かすことでスライド部材を容易に摺動させることができるとともに、少ない部品点数で摺動駆動部材を簡単な構成とすることができる。
【００２２】
また、上記の略Ｌ字形および長尺棒状部材以外の摺動駆動部材を含む什器用ストッパーとして、前記摺動駆動部材を、リンク機構を介して前記スライド部材に連結されたペダルとし、該ペダルを上下方向に操作することにより、前記スライド部材を前後方向に摺動させる構成としてもよい。
【００２３】
上記構成によれば、ペダルを上下方向に操作することにより、スライド部材を前後方向に摺動させることができるため、足などで摺動駆動部材を操作することができ、什器の底面という低い位置に什器用ストッパーを取り付ける場合でも、摺動駆動部材の操作を容易にすることができる。
【発明の効果】
【００２４】
本発明に係る什器用ストッパーによれば、床面と接触する部材を、より確実に床面に接触、および、床面から離間させることができ、かつ、当該圧接される部材のストロークを比較的自由に設定することができる。
【図面の簡単な説明】
【００２５】
【図１】本発明の什器用ストッパーの構成を示す分解斜視図である。
【図２】同什器用ストッパーをキャビネットに取り付けた状態を示す斜視図である。
【図３】同什器用ストッパーによりキャビネットの移動を阻止するときの各部の動きを示す底面図である。
【図４】同什器用ストッパーによりキャビネットの移動を阻止するときの各部の動きを示す側断面図である。
【図５】同什器用ストッパーによりキャビネットの移動を阻止する過程において、当接部が突出部の表面上を移動する様子を示す図である。
【図６】同什器用ストッパーの突出部の他の形態を、側方から見たときの模式図である。
【図７】同什器用ストッパーの摺動駆動部材の他の形態を示す側断面図である。
【図８】同什器用ストッパーの摺動駆動部材の他の形態を示す側断面図である。
【発明を実施するための形態】
【００２６】
以下に、本発明の実施形態について図面に基づいて説明する。
図１は、本実施形態における什器用ストッパー１の構成を示す分解斜視図である。各部の配置関係を分かりやすく説明するために、同図中、矢印アを前後方向、矢印イを左右方向とする。本実施形態の什器用ストッパー１は、大別すると、ベース部材１０、スライド部材２０、回動部材３０、摺動駆動部材４０、および、接触部材６０によって構成されている。以下、個々の構成について説明する。
【００２７】
＜ベース部材１０＞
ベース部材１０は、略Ｔ字形の平面部１１と、平面部１１の表面側において、後端部分一部を除く周縁から立設された周壁１２とからなっている。また、ベース部材１０の表面は、後述する各種構成部材の取付面になっており、ベース部材１０の背面は、後述する図２に示すように、什器用ストッパー１を什器に取り付ける際の取付面（什器の底面と接触する面）になっている。
【００２８】
平面部１１は、前後方向に延伸する縦延領域（右下がりのハッチングで示す領域）と、縦延領域の前方において左右に展開する横延領域（右上がりのハッチングで示す領域）とからなっている。平面部１１の表面略中央には、平面部１１の前端から後端に掛けて、直線状のガイド条１３が形成されている。当該ガイド条１３は、後述するスライド部材２０を摺動方向にガイドするためのものである。また、平面部１１の縦延領域後端近傍における左右の周壁１２の各内側には、直線状の支持条１４Ｌ，１４Ｒが形成されている。これら支持条１４Ｌ，１４Ｒは、後述するスライド部材２０を摺動自在に支持するためのものである。なお、図１においては、図中、左側の周壁１２に設けられた支持条１４Ｌのみを図示しているが、右側の周壁１２においても、支持条１４Ｌと対向する位置に、支持条１４Ｒが形成されている。
【００２９】
また、平面部１１の縦延領域を挟んで対向する左右の周壁１２において、支持条１４Ｌ，１４Ｒの上方には、支持穴１５Ｌ，１５Ｒが穿設されている。これら支持穴１５Ｌ，１５Ｒには、後述する回動部材３０の一端側左右側面にそれぞれ形成された凸部３１Ｌ，３１Ｒが嵌入される。これにより、回動部材３０の一端側がベース部材１０に回動自在に支持される。また、支持穴１５Ｌ，１５Ｒの前方における平面部１１には、縦延領域を挟んで対向する回動軸１６Ｌ，１６Ｒが立設されている。これら回動軸１６Ｌ，１６Ｒは、後述する摺動駆動部材４０または４０’を軸支するためのものである。回動軸１６Ｌ，１６Ｒは円柱形状の軸であり、頭頂部周縁において直径方向に突出する２つの突起ｐが形成されている。また、平面部１１の横延領域には、ガイド条１３を挟んで左右に突出部１７Ｌ，１７Ｒが突出形成されている（突出部１７Ｌ，１７Ｒの接触面の構成については、後述する什器用ストッパー１の動作説明において詳細に述べる）。さらに、平面部１１には、ベース部材１０をキャビネットなどの什器の底面に取り付けるためのネジ穴ｈが４箇所に穿設されている。また、平面部１１の横延領域は、後述する回動部材３０の横延部を収容するための収容部１８になっている。
【００３０】
＜スライド部材２０＞
スライド部材２０は、平面形状が矩形になっており、その底面略中央には、スライド部材２０の前端から後端にかけて、直線状のガイド溝２１が形成されている。スライド部材２０の両側辺には、各々、上述した支持条１４Ｌ，１４Ｒと係合する段差部２２Ｌ，２２Ｒが形成されている。これにより、スライド２０をベース部材１０に取り付ける際は、ガイド溝２１をガイド条１３の位置に合わせて、ベース部材１０の後端から、平面部１１の表面に沿ってスライド部材２０を前方へ押し出すと、段差部２２Ｌ，２２Ｒがガイド条１４Ｌ，１４Ｒと係合する。これにより、ベース部材１０を什器の底面に取り付けた場合でも、ベース部材１０からスライド部材２０を脱落させることなく、摺動自在に支持することができる。
【００３１】
スライド部材２０の表面には凹部２３が形成され、凹部２３の中で、後述する摺動駆動部材４０の駆動腕部４２の回動が可能になっている。また、凹部２３底面の略中央には、駆動腕部４２の先端部４２ｔが貫入される長穴２４が穿設されている。この長穴２４は、図１中、左右方向が長径になっている。スライド部材２０の前方端には、連結部材５０Ｌ，５０Ｒの一端側を貫き、連結部材５０Ｌ，５０Ｒをそれぞれ回動自在に軸支するための軸２５が取り付けられている。この軸２５は、スライド部材２０の前方端に形成されたＵ字溝２６（図４（ｂ）参照）内において上下方向に移動可能な状態で支持されている。
【００３２】
連結部材５０Ｌ，５０Ｒの各先端側（他端側）は、一本の軸５１が貫入されており、この軸５１は、後述する回動部材３０の他端側裏面に形成された把持部３４ａ，３４ｂ，３４ｃ，３４ｄによって着脱自在に把持される。ここで、連結部材５０Ｌ，５０Ｒは、図１に示すように直立した状態で前方を向いている面が開口になっている。そして、連結部材５０Ｌ，５０Ｒの内部における各一端側と他端側の間には、それぞれローラーで構成された当接部５２Ｌ，５２Ｒが回転自在に軸支されている。これにより、スライド部材２０をベース部材１０に取り付けた状態で前方へ摺動させると、当接部５２Ｌ，５２Ｒが、各々、突出部１７Ｌ，１７Ｒに当接することができるように構成されている。なお、当接部５２Ｌ，５２Ｒは、必ずしもローラーである必要は無く、連結部材５０Ｌ，５０Ｒに一体成形された円筒形状の部材であってもよい。
【００３３】
＜回動部材３０＞
回動部材３０は、平面形状が横延部と縦延部とからなる略Ｔ字形の部材であり、縦延部の後端側（一端側）において、左右側面に、ベース部材１０に穿設された支持穴１５Ｌ，１５Ｒに嵌入される凸部３１Ｌ，３１Ｒが形成されている。また、縦延部の前方に位置する横延部（他端側）には、接触部材６０を取り付けるための凹部３２が形成されている。この凹部３２の左右端と中央部には、後述する接触部材６０を取り付けるための取付孔３３Ｌ，３３Ｒ，３３Ｃが、それぞれ穿設されている。また、横延部の裏面側には、前述した軸５１を着脱自在に把持するための４つの把持部３４ａ，３４ｂ，３４ｃ，３４ｄが形成されている。このうち、把持部３４ａは軸５１の左端部分を把持し、把持部３４ｂおよび３４ｃは、連結部材５０Ｌ，５０Ｒの間を渡っている軸５１を把持し、把持部３４ｄは軸５１の右端部分を把持する。なお、横延部と縦延部とは、鈍角を成しており、例えば、図１において、横延部を水平面に置いたとすると、縦延部は後方へ向かって下方へ傾斜することになる。
【００３４】
＜摺動駆動部材４０＞
摺動駆動部材４０は略Ｌ字形の部材であり、ユーザによって操作される操作腕部４１と、操作腕部４１の先端箇所から略直角に右方向へ延出した駆動腕部４２とによって構成されている。操作腕部４１は、長尺棒状の部材であるが、前述した支持穴１５Ｌが穿設されている周壁１２の後方で曲折するクランク状になっている。また、駆動腕部４２の先端部４２ｔは、駆動腕部４２の下面よりもさらに下方へ延出する円柱形になっている。操作腕部４１と駆動腕部４２との接合部には軸穴４３が穿設されており、さらに軸穴４３の内部には、コイルばね４４を受けるためのスリーブ４３ｓが形成されている。そして、ベース部材１０に立設された回動軸１６Ｌを、この軸穴４３に通した後、摺動駆動部材４０が回動軸１６Ｌから抜けないように、回動軸１６Ｌの頭頂部を固定部材４５によって固定する。固定部材４５は、回動軸１６Ｌの直径と略同寸の直径の貫通孔を有する筒形状の部材であり、この貫通孔の内周面において、対向する２箇所に軸方向へ延びる２つの直線状の溝４５ｓが形成されている。また、２つの溝４５ｓに対して９０度傾いた位置に、回動軸１６Ｌの突起ｐが嵌合する２つの嵌合溝４５ｆが形成されている。
【００３５】
摺動駆動部材４０を回動軸１６Ｌに固定する際には、まず、回動軸１６Ｌを軸穴４３に通し、軸穴４３の内部に、スリーブ４３ｓを巻回するように、コイルばね４４を収容させる。このとき、駆動腕部４２の先端部４２ｔは、予めベース部材１０の支持条１４Ｌ，１４Ｒによって支持させておいたスライド部材２０に穿設されている長穴２４へ貫入させておく。そして、回動軸１６Ｌの突起ｐの位置に、固定部材４５の溝４５ｓの位置を合わせた上で、固定部材４５の貫通孔に回動軸１６Ｌを通し、さらにコイルばね４４の付勢に抗して固定部材４５を押し下げて、回動軸１６Ｌの突起ｐを固定部材４５の頭頂面から突出させる。この状態で固定部材４５を略９０度回転させて、回動軸１６Ｌの突起ｐを嵌合溝４５ｆの位置に合わせた後、コイルばね４４の付勢に任せて突起ｐを嵌合溝４５ｆに嵌合させる。これにより、摺動駆動部材４０を、ベース部材１０に回動自在に固定することができる。
【００３６】
操作腕部４１を、図１中、矢印ウの方向に回動させると、駆動腕部４２の先端部４２ｔも回動軸１６Ｌを中心として回動し、この動きが長穴２４によってスライド部材２０の前後方向への摺動に変換される。
【００３７】
また、本実施形態では、操作腕部４１の軸穴４３を形成する円筒状壁部の底縁部に微小突起４３ａを突設するとともに、ベース部材１０の回動軸１６周り２箇所に、微小突起４３ａと係合する２つの凹部（図示せず）を形成した構成としてある。各凹部の形成位置は、微小突起４３ａの回動軌道（すなわち、操作腕部４１の回動範囲）上における始点と終点である。このような構成により、コイルばね４４に付勢された微小突起４３ａが、操作腕部４１の回動始点と終点とにおいて前記凹部に係合し、操作腕部４１の回動操作にクリック感を持たせている。
【００３８】
なお、本実施形態の什器用ストッパー１では、回動軸１６Ｌと左右対称的な位置に回動軸１６Ｒを設けてあるので、上述した摺動駆動部材４０の代わりに、これと左右対称的な形状の摺動駆動部材４０’を回動軸１６Ｒに取り付けることにより、ベース部材１０の右側から操作腕部を操作することも可能である。すなわち、本実施形態の什器用ストッパー１は、什器１００（図２参照）を操作者の左右どちら側に配置した場合でも容易に操作することが可能となっている。
【００３９】
＜接触部材６０＞
接触部材６０は、弾性部材からなる吸盤状の部材であって、底面部６１には、回動部材３０の凹部３２に穿設された取付孔３３Ｌ，３３Ｃ，３３Ｒの位置に合わせて、貫通孔６１Ｌ，６１Ｃ，６１Ｒが穿設されている。底面部６１の周縁には、袴状の周壁部６２が一体的に形成され、その開口（水平方向における断面）の形状は、略亜鈴形になっている。すなわち、接触部材６０は、平行な２本の直線部６２ｓと、これら直線部６２ｓの両端に連続する２つの円弧部６２ａとからなり、直線部６２ｓと円弧部６２ａとが接合する位置にエッジＥが形成されている。このような接触部材６０は、固定具７０によって回動部材３０の凹部３２に固定される。固定具７０は、長尺平板状の部材であり、長手方向の両端および中央において、貫通孔６１Ｌ，６１Ｃ，６１Ｒとそれぞれ対応する位置に、突起７１Ｌ，７１Ｃ，７１Ｒが形成されている。また、両端に形成された突起７１Ｌおよび７１Ｒには、各々、可撓性を有し、先端に係止爪が形成された係止片７２Ｌおよび７２Ｒが設けられている。
【００４０】
この固定具７０によって、接触部材６０を回動部材３０の凹部３２に固定する際は、まず、底面部６２に穿設された貫通孔６１Ｌ，６１Ｃ，６１Ｒを、それぞれ凹部３２に穿設された取付孔３３Ｌ，３３Ｃ，３３Ｒの位置に合わせ、その上から固定具７０の突起７１Ｌ，７１Ｃ，７１Ｒを、それぞれ対応する貫通孔へ挿入する。そして、固定具７０の突起７１Ｌおよび７１Ｒの先端が、回動部材３０の裏面から突出すると、係止片７２Ｌおよび７２Ｒの係止爪が、取付孔３３Ｌおよび３３Ｒの周縁に係合して、回動部材３０から固定具７０を容易に取り外すことができなくなる。これにより、接触部材６０は、回動部材３０と固定具７０とによって挟持される。
【００４１】
＜什器用ストッパー１の取付状態＞
上述した構成の什器用ストッパー１を、什器に取り付けた状態を図２（ａ）、（ｂ）に示す。同図（ａ）は什器の一種であるキャビネットの外観を示す斜視図であり、同図（ｂ）は上述したキャビネットを底面側から見た斜視図である。なお、これら図面において、図１と同一の箇所には同じ符号を付し、その説明を省略する。同図（ａ）に示すキャビネット１００は、上下二段の引き出し１０１ｕ，１０１ｄを備え、その底面の四隅には、キャスター１０２が各々取り付けられている。同図（ｂ）に示すように、キャビネット１００の底面１０３には、什器用ストッパー１が、キャビネット１００の底面１０３にベース部材１０の背面を当てた状態で、図１に示したネジ穴ｈを通してボルトおよびナット等により取り付けられている。
【００４２】
ここで、キャビネットの底面１０３における什器用ストッパー１の取付位置は、適宜定めることができるが、同図（ａ）に示すように、少なくとも操作腕部４１の先端が、キャビネット１００の正面から突出していることが望ましい。
【００４３】
同図（ａ）、（ｂ）はいずれも、什器用ストッパー１の接触部材６０を床面に接触させて、キャビネット１００の移動を阻止している状態（移動阻止状態）を示している。この移動阻止状態から、操作腕部４１の先端を、同図中、矢印エの方向へ回動させると、回動部材３０が凸部３１Ｌ（図示略）および３１Ｒを軸にして上側に回動し、その横延部が収容部１８に収容される。これにより、接触部材６０が床面から離間して、キャビネット１００が自由に移動できる状態（移動可能状態）となる。
【００４４】
＜什器用ストッパー１の動作説明＞
次に、什器用ストッパー１が移動可能状態から移動阻止状態へ移行するまでの各部の動作について、図３〜図５を参照しつつ説明する。なお、図３〜図５において、図１と同一の箇所には同じ符号を付して詳細な説明は省略する。また、図３〜図５の前後方向は、図１の前後方向に対応している。さらに、図４および図５においては、左右一対の部材（例えば、突出部１７Ｌ，１７Ｒ又は当接部５２Ｌ，５２Ｒなど）の符号の「Ｌ」および「Ｒ」の文字を省略して数字のみで総称する。
【００４５】
図３は、什器用ストッパー１が移動可能状態から移動阻止状態へ移行するまでの各部の動作を説明するための底面図であり、同図（ａ）は什器用ストッパー１の移動可能状態、同図（ｂ）は移動可能状態と移動阻止状態との中間の状態（中間状態）、同図（ｃ）は什器用ストッパー１の移動阻止状態を示すものである。図４（ａ）〜（ｃ）は、図３（ａ）〜（ｃ）の各状態を同図（ａ）の矢印オからみた側断面図である。
【００４６】
図５は、図３（ａ）〜（ｃ）および図４（ａ）〜（ｃ）の各状態における突出部１７と当接部５２との位置関係を示す側断面図であり、図中の符号Ｏは移動可能状態における当接部５２の位置、符号Ｐは中間状態における当接部５２の位置、符号Ｑは移動阻止状態における当接部５２の位置を各々示している。
【００４７】
＜＜突出部１７の接触面＞＞
ここで、什器用ストッパー１の移動可能状態および移動阻止状態は、図５に示すように、突出部１７の接触面に沿って当接部５２が移動し、これに連動した接触部材６０が床面に接離することで形成されるものである。そこで、什器用ストッパー１の動作説明に先だって、突出部１７の接触面の構成について詳述する。
【００４８】
図５において、突出部１７の当接部５２との接触面は、第１傾斜面１７ａ、第２傾斜面１７ｂ、および、第３傾斜面１７ｃによって構成されている。第１傾斜面１７ａは、平面部１１の表面から急峻に立ち上がるとともに、前方へ傾斜した面であり、その表面は外方に向けて湾曲した凸曲面になっている。第２傾斜面１７ｂは、第１傾斜面１７ａの端部から前方に向かってさらに傾斜した面（第１傾斜面１７ａよりもなだらかな傾斜面）になっており、第１傾斜面１７ａと同様に凸曲面になっているが、その曲率は、第１傾斜面１７ａよりも小さくなっている。第３傾斜面１７ｃは、第２傾斜面１７ｂの端部から前方に向かって平面部１１の表面の方向に傾斜した面である。これにより、突出部１７において、第２傾斜面１７ｂと、第３傾斜面１７ｃとの接合線が、平面部１１の表面から最も高い箇所（頂部）となる。
【００４９】
なお、第１傾斜面１７ａおよび第２傾斜面１７ｂの表面を凸曲面としているが、平坦面で構成してもよい。また、第３傾斜面１７ｃの表面は平坦面であってもよいが、後述するように、連結部材５０が直立した状態を維持しやすくするために、やや窪んだ凹曲面にしてもよい。さらに、第１傾斜面から第２傾斜面まで、または、第１傾斜面から第３傾斜面までを連続した１つの曲面で形成しても良い。例えば、第１傾斜面から第３傾斜面までを連続した１つの曲面とした場合の突出部１７の一例を図６に示す。この図は、突出部１７を側方から見たときの形状を示す模式図であるが、突出部１７の頂部Ｐに近づくほど曲率が小さくなるような曲線を描くようにするとよい。
【００５０】
＜＜移動可能状態＞＞
図３（ａ）および図４（ａ）において、操作腕部４１を矢印カの方向へ回動させると、スライド部材２０がガイド条１４に沿って平面部１１の表面を後退し、操作腕部４１の回動が規制された時点でスライド部材２０が最も後退した位置（後退位置）となる。スライド部材２０の後退動作は、軸２５を介して連結部材５０に伝達されるとともに、軸５１を介して回動部材３０に伝達される。
【００５１】
すなわち、連結部材５０は、スライド部材２０の後退に伴って、その当接部５２を突出部１７の接触面に沿って移動させながら後退する（図５参照）。その後、スライド部材２０が後退位置となったとき、連結部材５０は、軸２５を支点にして前方へ傾倒した状態となる。これにより、連結部材５０の軸５１を把持している回動部材３０が、凸部３１を中心として図４中、時計回りに回動し、回動部材３０の横延部が収容部１８に収容される。このとき、当接部５２は、平面部１１の表面に最も接近した状態で突出部１７の第１傾斜面１７ａに接触する（図５参照）。
【００５２】
一方、回動部材３０は、連結部材５０の後退に伴って、その凸部３１を中心に上方に回動する。その後、連結部材５０が前方へ傾倒した状態になると、回動部材３０の横延部が、ベース部材１０の収容部１８に収容される。これにより、接触部材６０と床面との接触が解除され、什器用ストッパー１が移動可能状態となる。
【００５３】
＜＜中間状態＞＞
上述した什器ストッパー１の移動可能状態において、操作腕部４１を図３（ｂ）の矢印キの方向へ回動させると、スライド部材２０がガイド条１４に沿って平面部１１の表面を前進し、この前進動作に連動して、連結部材５０の当接部５２が、突出部１７の第１傾斜面１７ａを第２傾斜面１７ｂに向かって移動する（図５参照）。これにより、連結部材５０が起き上がった状態となるに連れて、回動部材３０が凸部３１を中心として図４中、反時計回りに回動し、接触部材６０が床面に接近する。そして、当接部５２が、第１傾斜面１７ａと第２傾斜面１７ｂとの境界に達したあたりで、接触部材６０が床面と接触する。引き続き、当接部５２が、第２傾斜面１７ｂを頂部に向かって移動することで、連結部材５０がさらに起き上がった状態となり、接触部材６０を床面に圧接させる。
【００５４】
＜＜移動阻止状態＞＞
引き続き、操作腕部４１を図３（ｂ）の矢印キの方向へ回動させると、スライド部材２０がガイド条１４に沿ってさらに前進し、操作腕部４１の回動が規制された時点でスライド部材２０が最も前進した位置（前進位置）となる。この前進動作に連動して、連結部材５０の当接部５２が、突出部１７の頂部を越え、第２傾斜面１７ｂと逆方向に傾斜する第３傾斜面１７ｃに到達する（図５参照）。これにより、連結部材５０が直立して、回動部材３０の横延部がベース部材１０から最も離れた位置まで回動する。そして、この状態でロックされ、接触部材６０の床面に対する圧接状態が維持される。
【００５５】
＜本実施形態の作用効果＞
上述した本実施形態に係る什器用ストッパー１によれば、接触部材６０を床面から離間させるためのコイルばねを省略することができ、摺動駆動部材の操作に応じたスライド部材２０の摺動のみによって、接触部材６０の床面への接近、および、床面からの離間が可能となる。また、連結部材５０の長さを適宜設定することによって、床面方向における接触部材６０のストロークを所望の寸法に設定することが容易となる。
【００５６】
また、本実施形態では、突出部１７の接触面を、傾斜角度が急峻な第１傾斜面１７ａと、この第１傾斜面１７ａよりも傾斜角度がなだらかな第２傾斜面１７ｂと、第２傾斜面１７ｂと逆方向に傾斜する第３傾斜面１７ｃとを連続させた構成としてあるので、什器用ストッパー１を移動可能状態から移動阻止状態へ移行させるときの操作が極めてスムーズになる。
【００５７】
すなわち、図３（ａ）に示す操作腕部４１の回動初期においては、連結部材５０の当接部５２が急峻な第１傾斜面１７ａを移動するので、操作腕部４１の僅かな回動で接触部材６０を床面に急接近させることができる。次いで、当接部５２が第２傾斜面１７ｂに到達したあたりで、接触部材６０が床面に接触し、操作腕部４１に対して弾性負荷を生じるが、この弾性負荷は、急峻な第１傾斜面１７ａからなだらかな第２傾斜面１７ｂへ移行するときの勢いによって相殺される。第１傾斜面１７ａから第２傾斜面１７ｂへ移行するときに、操作腕部４１を回動させる力が同じであっても、連結部材５０が接触部材６０に与える押圧力が増大するのである。その後、当接部５２が頂部を超える際には、接触部材６０の弾性力が、当接部５２を逆傾斜の第３傾斜面１７ｃに到達させる助けとなる。このようにして、本実施形態に係る什器用ストッパー１は、移動可能状態から移動阻止状態へ移行させるときの操作を極めてスムーズにしている。
【００５８】
さらに、本実施形態では、操作腕部４１の軸穴４３周りに突設した微小突起４３ａと、ベース部材１０の回動軸１６周りに形成した２つの前記凹部との係合により、什器用ストッパー１が移動可能状態になったときと、移動阻止状態になったときとの２点においてクリック感を持たせている。これにより、什器用ストッパー１の状態を操作者に報知することができるとともに、スムーズな操作感に減り張りを与えることが可能となる。
【００５９】
また、連結部材５０の当接部５２が第３傾斜面１７ｃに到達すると、接触部材６０の弾性力によって当接部５２が第３傾斜面１７ｃに押し付けられるので、当接部５２が頂部を超えて第２傾斜面１７ｂ側に後戻りしにくい。したがって、什器用ストッパー１の移動阻止状態において外力が加えられた場合でも、移動阻止状態が容易に解除されてしまうことがなく、什器の移動を確実に阻止することができる。
【００６０】
さらに、本実施形態では、移動阻止状態における連結部材５０の軸５１と、当接部５２の支軸とを結ぶ線（図４（ｃ）の一点鎖線を参照）が鉛直となる構成としているので、連結部材５０が接触部材６０を床面に圧接させる力、および、接触部材６０が当接部５２に加える弾性力の分散を防止している。これにより、接触部材６０を効果的に床面へ圧接することができると同時に、この圧接状態を効果的に維持することが可能となる。
【００６１】
これに加え、接触部材６０の周壁部６２にエッジＥが形成される（図１および図３（ｃ）参照）。これにより、例えば、開口形状をエッジＥが生じない長丸形にした場合に比べて、接触部材６０が床面に圧接されている状態で、什器を移動させようして床面と平行な方向に力を加えたとしても、周壁部６２が縒れにくくなる。
【００６２】
＜摺動駆動部材の他の実施形態＞
上述した什器用ストッパー１における摺動駆動部材４０は、操作腕部４１を左右方向に回動させることによってスライド部材２０を前後方向へ摺動させ、これにより接触部材６０を床面に圧接し、または、当該圧接を解除していたが、以下では、異なる操作によって接触部材６０の床面への圧接またはその圧接の解除を行うことができる摺動駆動部材の形態について、図７および図８を参照して説明する。
＜＜プッシュ式摺動駆動部材＞＞
【００６３】
図７は、摺動駆動部材を前後方向へ動かすことによって、接触部材６０の床面に対する圧接および解除を可能とした什器用ストッパーの側断面を示す図であり、同図（ａ）はスライド部材２０’が後退位置にある状態を示し、同図（ｂ）はスライド部材２０’が前進位置にある状態を示している。同図において、図１と同一の箇所には同じ符号を付して詳細な説明は省略する。
【００６４】
同図（ａ）、（ｂ）において、本実施形態に係る什器用ストッパーの摺動駆動部材８０は、中間部が折れ曲がったクランク状となっており、上方に折れ曲がった一端側がスライド部材２０’の後端に連結されている。また、摺動駆動部材８０の下方に折れ曲がった他端側には、操作者の把持手となる平板状の操作部８１が取り付けられている。
【００６５】
また、本実施形態のスライド部材２０’の上面側には、前壁ＦＷおよび後壁ＢＷにより画定される凹部２７（同図（ｂ）参照）が設けられており、この凹部２７には後述するコイルばね１９が収容されている。一方、ベース部材１０の平面部１１には、上下方向に撓むことができる係止部１１ａが設けられている。この係止部１１ａには、スライド部材２０’が前進位置および後退位置にあるときに、上述した後壁ＢＷの先端部と各々係合する、前方係合溝ＦＧ（同図（ａ）参照）および後方係合溝ＢＧ（同図（ｂ）参照）が形成されている。このような係止部１１ａは、摺動駆動部材８０を同図（ａ）に示す後退位置まで引き出したとき、および、同図（ｂ）に示す前進位置まで押し込んだときにクリック感を生じさせるとともに、後述するコイルばね１９の付勢力に抗して、前進位置まで移動したスライド部材２０’の後退を阻止する。
【００６６】
また、平面部１１ａには、スライド部材２０’が後退位置よりもさらに後方へ移動するのを阻止するための後退阻止部１１ｂが突設されている。これにより、摺動駆動部材８０を同図（ａ）に示す位置よりもさらに後方へ引き出そうとしても、スライド部材２０’の前壁ＦＷが後退阻止部１１ｂに当接し、さらなる後退が阻止される。さらに、コイルばね１９は、スライド部材２０’を後退させる方向に付勢力を発揮しており、凹部２７内において、上述した後退阻止部１１ｂと、スライド部材２０’の後壁ＢＷとの間に挟持されている。
【００６７】
次に、上述した什器用ストッパーが移動可能状態から移動阻止状態へ移行するまでの各部の動作について説明する。まず、図７（ａ）に示す什器用ストッパーの移動可能状態では、コイルばね１９の付勢力によってスライド部材２０’が後退位置に配置されている。このとき、前壁ＦＷと後退阻止部１１ｂとが当接し、スライド部材２０’のさらなる後退が阻止されるとともに、後壁ＢＷの先端部が係止部１１ａの後方係合溝ＢＧと係合している。
【００６８】
このような移動可能状態において、コイルばね１９の付勢力に抗して、摺動駆動部材８０の操作部８１を前方へ押し込むとスライド部材２０’が前進する。このとき、スライド部材２０’の後壁ＢＷの先端部と、係止部１１ａの後方係合溝ＢＧとの係合が解除され、これがクリック感を生じさせる。そして、操作部８１をさらに前方へ押し込むと、スライド部材２０’とともに前進する連結部材５０の当接部５２が、突出部１７の接触面に沿って移動し、これに伴って連結部材５０が起き上がった状態となり、回動部材３０の横延部に設けられた接触部材６０が床面に圧接する。
【００６９】
その後、図７（ｂ）に示すように、スライド部材２０’が前進位置に到達すると、この前進動作に連動して、当接部５２が突出部１７の頂部を越え、連結部材５０が直立した状態でロックされ、接触部材６０の床面に対する圧接状態が維持される。すなわち、什器用ストッパーが移動阻止状態となる。この移動阻止状態は、スライド部材２０’の後壁ＢＷの先端部と、係止部１１ａの前方係合溝ＦＧとの係合によって維持されるとともに、この係合がクリック感を生じさせる。
【００７０】
なお、上述した什器用ストッパーでは、スライド部材２０’の前進位置における係止状態を、スライド部材２０’の後壁ＢＷの先端部と、係止部１１ａの前方係合溝ＦＧとの係合によって維持していたが、この代わりに、周知のラッチ機構を設けることによって、スライド部材２０’の前進位置における係止状態を維持するようにしてもよい。例えば、ノック式のボールペンに採用されているようなラッチ機構を設け、スライド部材２０’が前進位置へ到達するまで、操作部８１を前方へ押し込むと、前記ラッチ機構によってスライド部材２０’が前進位置でラッチされ、再びスライド部材２０’を後退位置へ戻す際は、操作部８１を一旦前方へ押し込むと、ラッチされた状態が解除され、スライド部材２０’がそのままばねの付勢力によって、後退位置まで摺動するように構成してもよい。また、摺動駆動部材８０は、必ずしもクランク状に形成する必要はなく、一直線の長尺棒状部材を用いてもよい。
【００７１】
＜＜ペダル式摺動駆動部材＞＞
図８は、摺動駆動部材を上下方向へ動かすことによって、接触部材６０の床面に対する圧接および解除を可能とした什器用ストッパーの側断面を模式的に示した図であり、同図（ａ）はスライド部材２０’’が後退位置にある状態を示し、同図（ｂ）はスライド部材２０’’が前進位置にある状態を示している。同図において、図１と同一の箇所には同じ符号を付して詳細な説明は省略する。また、図示が煩雑になるのを避けるために、回動部材３０および接触部材６０を一点鎖線で示している。
【００７２】
同図において、本実施形態に係る什器用ストッパーの摺動駆動部材９０は、側方から見て略ヘ字形の可動部材９１と、この可動部材９１をスライド部材２０’’に連結するリンク部材９２とからなっている。可動部材９１は、第１腕部９３と第２腕部９４とが鈍角に屈曲した構成となっており、その屈曲部が、回動軸９５によって周壁１２に軸支されている。第１腕部９３は、ベース部材１０の後端ＢＥよりもさらに後方に延出し、その端部には、平板状のペダル９６が設けられている。また、前記屈曲部から前方に延出した第２腕部９４の端部には、丸長穴９７が穿設されている。
【００７３】
リンク部材９２は、長尺平板状となっており、その一端側が、回動軸２８を介してスライド部材２０’’の後端側に回動自在に軸支されている。また、リンク部材９２の他端側は、回動軸９８を介して可動部材９１の丸長穴９７に移動および回動自在に軸支されている。なお、図示を省略したその他の構成は、図１と同様である。
【００７４】
次に、上述した什器用ストッパーが移動可能状態から移動阻止状態へ移行するまでの各部の動作について説明する。まず、図８（ａ）に示す什器用ストッパーの移動可能状態では、摺動駆動部材９０の第１腕部９３が略水平となっており、下方に傾動した第２腕部９４と、リンク部材９２とが互いに略Ｖ時に折り畳まれた状態となっている。リンク部材９２に連結されたスライド部材２０’’は後退位置まで移動されている。また、スライド部材２０’’の後退に連動して連結部材５０が傾倒した状態となっており、回動部材３０の横延部が収容部１８に収容されている。
【００７５】
このような移動可能状態において、例えば、ペダル９６を足で踏み込むと、可動部材９１が回動軸９５を中心に時計回りに回動し、回転軸９８が丸長穴９７の後端に当接したところで、第２腕部９４の動きがリンク部材９２に伝達され、このリンク部材９２に連結されたスライド部材２０’’が前進する。この前進動作に連動して、連結部材５０の当接部５２が突出部１７の接触面に沿って移動する。これに伴って、連結部材５０が起き上がった状態となり、回動部材３０の横延部に設けられた接触部材６０が床面に圧接する。
【００７６】
その後、図８（ｂ）に示すように、第２腕部９４及びリンク部材９２が、共に略水平となるまで回動したとき、スライド部材２０’’が前進位置に到達する。この前進動作に連動して、当接部５２が突出部１７の頂部を越え、連結部材５０が直立した状態でロックされ、接触部材６０の床面に対する圧接状態が維持される。すなわち、什器用ストッパーが移動阻止状態となる。再び、同図（ａ）の移動可能状態にする場合は、ペダル９６の下に足を引っ掛けて、可動部材９１の第１腕部９３を略水平に戻せばよい。
【００７７】
このような本実施形態の什器用ストッパーによれば、足でペダル９６を操作することが可能であり、本什器用ストッパーを極めて容易に移動可能状態または阻止状態とすることができる。
【符号の説明】
【００７８】
１  什器用ストッパー
１０  ベース部材
２０，２０’，２０’’  スライド部材
３０  回動部材
４０，８０，９０  摺動駆動部材
５０  連結部材
６０  接触部材
７０  固定具
１００  キャビネット（什器）
【図１】
2010268903.tif 000003
【図２】
2010268903.tif 000004
【図３】
2010268903.tif 000005
【図４】
2010268903.tif 000006
【図５】
2010268903.tif 000007
【図６】
2010268903.tif 000008
【図７】
2010268903.tif 000009
【図８】
2010268903.tif 000010